【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
原稿を読み取ることで得られる画像データを送信する送信機能を有する印刷装置であって、
外部装置と前記印刷装置とが外部のアクセスポイントを介さずに無線通信を行うダイレクト無線通信機能を有する無線通信手段と、
ユーザが少なくとも前記画像データの宛先を設定可能な、前記送信機能に関する設定画面を表示する表示手段と、
前記ダイレクト無線通信機能を実行するためのダイレクト無線通信モードで前記印刷装置が動作しているか否かを判定する判定手段と、
前記ダイレクト無線通信モードで前記印刷装置が動作していると前記判定手段によって判定された場合に、前記ダイレクト無線通信機能による無線通信の通信相手を前記画像データの宛先として設定した状態で前記設定画面を表示するように前記表示手段を制御する制御手段と、
を有することを特徴とする印刷装置。
【請求項２】
前記設定画面において、ユーザは、アドレス帳を使用して前記画像データの宛先を設定可能であり、
前記ダイレクト無線通信モードで前記印刷装置が動作していると前記判定手段によって判定された場合に、前記制御手段は、ユーザが前記アドレス帳を使用して前記画像データの宛先を設定することを禁止することを特徴とする請求項１に記載の印刷装置。
【請求項３】
前記設定画面には、アドレス帳を使って前記画像データの宛先をユーザが指定するためのアドレス帳ボタンが含まれ、
前記ダイレクト無線通信モードで前記印刷装置が動作していると前記判定手段によって判定された場合に、前記制御手段は、前記アドレス帳ボタンを無効にすることを特徴とする請求項１に記載の印刷装置。
【請求項４】
原稿を読み取ることで得られる画像データを送信する送信機能を有する印刷装置であって、
外部装置と前記印刷装置とが外部のアクセスポイントを介さずに無線通信を行うダイレクト無線通信機能を有する無線通信手段と、
ユーザが少なくとも前記画像データの宛先を設定可能な、前記送信機能に関する設定画面を表示する表示手段と、
前記ダイレクト無線通信機能による無線通信を前記無線通信手段が実行中であるか否かを判定する判定手段と、
前記ダイレクト無線通信機能による無線通信を前記無線通信手段が実行中であると前記判定手段によって判定された場合に、前記ダイレクト無線通信機能による無線通信の通信相手を前記画像データの宛先として設定した状態で前記設定画面を表示するように前記表示手段を制御する制御手段と、
を有することを特徴とする印刷装置。
【請求項５】
前記設定画面において、ユーザは、アドレス帳を使用して前記画像データの宛先を設定可能であり、
前記ダイレクト無線通信機能による無線通信を前記無線通信手段が実行中であると前記判定手段によって判定された場合に、前記制御手段は、ユーザが前記アドレス帳を使用して前記画像データの宛先を設定することを禁止することを特徴とする請求項４に記載の印刷装置。
【請求項６】
前記設定画面には、アドレス帳を使って前記画像データの宛先をユーザが指定するためのアドレス帳ボタンが含まれ、
前記ダイレクト無線通信機能による無線通信を前記無線通信手段が実行中であると前記判定手段によって判定された場合に、前記制御手段は、前記アドレス帳ボタンを無効にすることを特徴とする請求項４に記載の印刷装置。
【請求項７】
前記設定画面の表示指示をユーザから受け付けた際に、前記判定による判定が実行されることを特徴とする請求項１乃至６のいずれか１項に記載の印刷装置。
【請求項８】
前記ダイレクト無線通信機能は、Ｗｉ−Ｆｉダイレクトに基づく無線通信を実行する機能であることを特徴とする請求項１乃至７のいずれか１項に記載の印刷装置。
【請求項９】
原稿を読み取ることで得られる画像データを送信する送信機能を有する印刷装置を制御する制御方法であって、
無線通信手段が、外部装置と前記印刷装置とが外部のアクセスポイントを介さずに無線通信を行うダイレクト無線通信機能を有する無線通信工程と、
表示手段が、ユーザが少なくとも前記画像データの宛先を設定可能な、前記送信機能に関する設定画面を表示する表示工程と、
判定手段が、前記ダイレクト無線通信機能を実行するためのダイレクト無線通信モードで前記印刷装置が動作しているか否かを判定する判定工程と、
制御手段が、前記ダイレクト無線通信モードで前記印刷装置が動作していると前記判定工程で判定された場合に、前記ダイレクト無線通信機能による無線通信の通信相手を前記画像データの宛先として設定した状態で前記設定画面を表示するように前記表示工程を制御する制御工程と、
を有することを特徴とする印刷装置の制御方法。
【請求項１０】
原稿を読み取ることで得られる画像データを送信する送信機能を有する印刷装置を制御する制御方法であって、
無線通信手段が、外部装置と前記印刷装置とが外部のアクセスポイントを介さずに無線通信を行うダイレクト無線通信機能を有する無線通信工程と、
表示手段が、ユーザが少なくとも前記画像データの宛先を設定可能な、前記送信機能に関する設定画面を表示する表示工程と、
判定手段が、前記ダイレクト無線通信機能による無線通信を前記無線通信工程が実行中であるか否かを判定する判定工程と、
制御手段が、前記ダイレクト無線通信機能による無線通信を前記無線通信工程が実行中であると前記判定工程で判定された場合に、前記ダイレクト無線通信機能による無線通信の通信相手を前記画像データの宛先として設定した状態で前記設定画面を表示するように前記表示工程を制御する制御工程と、
を有することを特徴とする印刷装置の制御方法。
【請求項１１】
コンピュータを、請求項１乃至８のいずれか１項に印刷装置の各手段として機能させるためのプログラム。
【手続補正２】
【補正対象書類名】明細書
【補正対象項目名】発明の名称
【補正方法】変更
【補正の内容】
【発明の名称】印刷装置及びその制御方法、プログラム
【手続補正３】
【補正対象書類名】明細書
【補正対象項目名】０００１
【補正方法】変更
【補正の内容】
【０００１】
本発明は、印刷装置及びその制御方法、プログラムに関するものである。
【手続補正４】
【補正対象書類名】明細書
【補正対象項目名】０００８
【補正方法】変更
【補正の内容】
【０００８】
本発明は、印刷装置がダイレクト無線通信モードで動作している場合に、画像データの宛先を設定するユーザの利便性を向上させることを目的とする。
【手続補正５】
【補正対象書類名】明細書
【補正対象項目名】０００９
【補正方法】変更
【補正の内容】
【０００９】
上記目的を達成するために本発明の一態様に係る印刷装置は以下のような構成を備える。即ち、
原稿を読み取ることで得られる画像データを送信する送信機能を有する印刷装置であって、
外部装置と前記印刷装置とが外部のアクセスポイントを介さずに無線通信を行うダイレクト無線通信機能を有する無線通信手段と、
ユーザが少なくとも前記画像データの宛先を設定可能な、前記送信機能に関する設定画面を表示する表示手段と、
前記ダイレクト無線通信機能を実行するためのダイレクト無線通信モードで前記印刷装置が動作しているか否かを判定する判定手段と、
前記ダイレクト無線通信モードで前記印刷装置が動作していると前記判定手段によって判定された場合に、前記ダイレクト無線通信機能による無線通信の通信相手を前記画像データの宛先として設定した状態で前記設定画面を表示するように前記表示手段を制御する制御手段と、を有することを特徴とする。
【手続補正６】
【補正対象書類名】明細書
【補正対象項目名】００１０
【補正方法】変更
【補正の内容】
【００１０】
本発明によれば、印刷装置がダイレクト無線通信モードで動作している場合に、画像データの宛先を設定するユーザの利便性を向上させることができる。
【手続補正７】
【補正対象書類名】明細書
【補正対象項目名】００１１
【補正方法】変更
【補正の内容】
【００１１】
【図１】Ｗｉ−Ｆｉダイレクトの処理シーケンスを説明する図（Ａ）と、実施形態に係る通信システムの構成を示す図（Ｂ）。
【図２】本発明の実施形態に係る印刷装置のハードウェア構成を示すブロック図。
【図３】実施形態に係る印刷装置のソフトウェア構成を説明する機能ブロック図。
【図４】本実施形態に係る印刷装置の操作パネルの上面図。
【図５】実施形態１に係る印刷装置の操作パネルに表示される画面例を示す図。
【図６】実施形態１に係る印刷装置によるＳＥＮＤ機能の処理を説明するフローチャート。
【図７】実施形態２に係る印刷装置によるＳＥＮＤ機能の処理を説明するフローチャート。
【手続補正８】
【補正対象書類名】明細書
【補正対象項目名】００５２
【補正方法】変更
【補正の内容】
【００５２】
図７は、実施形態２に係る印刷装置１００によるＳＥＮＤ機能の処理を説明するフローチャートである。この処理は、実行時にＨＤＤ２１４或いはＲＯＭ２０４からＲＡＭ２０３に展開されたプログラムをＣＰＵ２０２が実行することにより実現される。